(57)【特許請求の範囲】
【請求項１】
縦方向に若干傾斜させ、底面には縦方向の複数の通液溝（９）を分岐、交差あるいは合流することなく直線状に設け、傾斜上位側に養液又は水を供給する給液口（２）を設け、傾斜下位側に養液又は水を回収する排液口（５）を設けた縦方向に長いプール（１）を使用し、該プール（１）内に５ｍｍの厚みの育苗床材であるウレタンマット（ａ）を敷設して種籾を播種し、ウレタンマット（ａ）から種籾が浮き上がらないようにする浮き上がり抑止板（１１）をプール（１）に装着して長いマット苗を育苗し、育苗した長いマット苗の葉を巻き取り終端側へ倒伏させながら該マット苗をロ−ル状に巻き取ってロール苗（ｒ）を作り、該ロ−ル苗（ｒ）を苗移植機（２０）に装填し、苗移植機（２０）において、ロ−ル苗（ｒ）の巻き取り終端側からマット苗を苗載置台（３０）に繰り出し、該マット苗の端部の苗の葉にプレートで構成される苗規制体（３９）が当接して葉が苗植付装置（３２）側に倒れこまないようにし、該マット苗の端部から苗植付装置（３２）により苗取り位置（３８ａ）で一株分づつ苗を取って圃場に植え付ける移植方法。
【発明の詳細な説明】
【０００１】
【発明の属する技術分野】
この発明は、マット苗の育苗、苗処理及びこのマット苗の移植に関する。
【０００２】
【従来の技術】
特開平８−８４５１６号公報にあるように、苗の葉が内側、苗の床部が外周側となるようにマット苗の葉を倒伏させながら該マット苗をロ−ル状に巻いた状態のロ−ル苗を装填し、該ロ−ル苗の巻き取り終端側からマット苗を繰り出し、該マット苗の端部から苗植付装置により一株分づつ苗を取って圃場に植え付ける苗移植機が開示されている。この苗移植機においては、マット苗をロール状に巻き取るときに苗の葉を巻き取り始端側に倒しながらマット苗をロール状に巻いて作ったロール苗の外周側からマット苗を繰り出すようになっているので、苗植付装置の苗取り位置へ供給されるマット苗の葉はロール苗側すなわち前記苗植付装置から離れる側へ倒れた状態となり、マット苗の葉が前記苗植付装置の作動軌跡と干渉しないようにでき、前記苗植付装置により苗の葉を損傷させずに苗の床部に作用して適確に苗を掻き取って適正に圃場に苗を植え付けていくようになっている。
【０００３】
【発明が解決しようとする課題】
ところが、上記従来技術の苗移植機によると、マット苗をロール状に巻き取るときに苗の葉を巻き取り始端側に倒した状態でマット苗を巻いてロール苗を作る必要があり、マット苗の巻き取りにおいて手間を要する。
【０００４】
【課題を解決するための手段】
この発明は、上記課題を解決すべく次の技術的手段を講じた。
すなわち、縦方向に若干傾斜させ、底面には縦方向の複数の通液溝（９）を分岐、交差あるいは合流することなく直線状に設け、傾斜上位側に養液又は水を供給する給液口（２）を設け、傾斜下位側に養液又は水を回収する排液口（５）を設けた縦方向に長いプール（１）を使用し、該プール（１）内に５ｍｍの厚みの育苗床材であるウレタンマット（ａ）を敷設して種籾を播種し、ウレタンマット（ａ）から種籾が浮き上がらないようにする浮き上がり抑止板（１１）をプール（１）に装着して長いマット苗を育苗し、育苗した長いマット苗の葉を巻き取り終端側へ倒伏させながら該マット苗をロ−ル状に巻き取ってロール苗（ｒ）を作り、該ロ−ル苗（ｒ）を苗移植機（２０）に装填し、苗移植機（２０）において、ロ−ル苗（ｒ）の巻き取り終端側からマット苗を苗載置台（３０）に繰り出し、該マット苗の端部の苗の葉にプレートで構成される苗規制体（３９）が当接して葉が苗植付装置（３２）側に倒れこまないようにし、該マット苗の端部から苗植付装置（３２）により苗取り位置（３８ａ）で一株分づつ苗を取って圃場に植え付ける移植方法とした。
従って、縦方向に若干傾斜させ、底面には縦方向の複数の通液溝（９）を分岐、交差あるいは合流することなく直線状に設け、傾斜上位側に養液又は水を供給する給液口（２）を設け、傾斜下位側に養液又は水を回収する排液口（５）を設けた縦方向に長いプール（１）を使用し、該プール（１）内に５ｍｍの厚みの育苗床材であるウレタンマット（ａ）を敷設して種籾を播種し、ウレタンマット（ａ）から種籾が浮き上がらないようにする浮き上がり抑止板（１１）をプール（１）に装着して長いマット苗を育苗するので、前記複数の通液溝（９）は育苗床材（ａ）の下側に位置して分岐、交差あるいは合流することなく直線状で、またウレタンマット（ａ）の厚みを５ｍｍとすることによって、前記浮き上がり抑止板（１１）により種籾を押さえてウレタンマット（ａ）の上面から下側に沈み込ませることができるため、苗の茎がウレタンマット（ａ）や苗の根で構成される苗床部に突入した状態となり、苗の葉が起立姿勢側に戻る復元力が向上し、育苗したマット苗をロール状に巻くと、その巻き取りにより苗が相互に重なり合うため、マット苗の葉が圧接されて自ずと巻き取り終端側へ倒伏した状態でロ−ル苗（ｒ）が作られるが、前記ロ−ル苗（ｒ）を苗移植機（２０）に装填し、該ロ−ル苗（ｒ）の巻き取り終端側からマット苗を繰り出して移植する際に、繰り出されたマット苗から苗植付装置（３２）が苗取り位置（３８ａ）で一株分づつ苗を取るまでに該苗の葉が巻き取り終端側に倒伏した倒伏状態から前記苗植付装置（３２）の作動軌跡から離れる方向に復元し、更にマット苗の端部の苗の葉にプレートで構成される苗規制体（３９）が当接して葉が苗植付装置（３２）側に倒れこまないようにして、前記マット苗の端部すなわち前記巻き取り終端側から前記苗植付装置（３２）が前記苗取り位置（３８ａ）で苗を取って圃場に植え付ける。
【０００６】
【発明の効果】
よって、複数の通液溝は育苗床材の下側に位置して分岐、交差あるいは合流することなく直線状であるので、プール内の流液をスムーズにしながら、通液溝内で養液又は水を流しても前記育苗床材上の種籾が流されたり苗の姿勢が悪化したりすることを抑えることができる。また、ウレタンマット（ａ）の厚みを５ｍｍとすることによって、苗の葉が起立姿勢側に戻る復元力が向上するため、マット苗を巻き取り終端側へ倒伏した状態でロール状に巻いたロ−ル苗を苗移植機に装填するようにしているので、マット苗をロ−ル状に巻き取るとき苗が相互に重なり合うためにマット苗の葉が圧接されて自ずと巻き取り終端側へ倒伏した状態となるため、格別にマット苗の葉を矯正したりする必要がなくマット苗をロ−ル状に巻き取るだけで苗移植機へ装填するロ−ル苗を作ることができ、マット苗の巻き取り作業を容易にすることができる。そして、ロ−ル苗から繰り出されたマット苗を苗植付装置が苗取り位置で一株分づつ取るまでに該苗の葉が巻き取り終端側に倒伏した倒伏状態から前記苗植付装置の作動軌跡から離れる方向に復元し、更にマット苗の端部の苗の葉にプレートで構成される苗規制体が当接して葉が苗植付装置側に倒れこまないようにするので、マット苗の葉が前記苗植付装置の作動軌跡と干渉しないようすることができ、前記苗植付装置により苗の葉を損傷させずに苗の床部に作用して適確に苗を掻き取って適正に圃場に苗を植え付けることができる。
【０００７】
【実施例】
この発明の一実施例を図面に基づき説明する。
図１，２は、養液又は水が循環可能なプ−ル１内に育苗床材として縦６ｍ、横３０ｃｍの不織布ａを敷設し水稲苗を育苗する状態を示したものである。前記プ−ル１は、縦６ｍ、横３０ｃｍの長いマット苗を育苗できるように縦方向に長い形状となっており、この縦方向に若干の傾斜を有しこの上位側から下位側へ養液又は水が流れるようになっている。前記上位側に給液口２が設けられ、主タンク３内の養液又は水を供給ポンプ４により前記給液口２からプ−ル内に供給するようになっている。前記下位側には排液口５が設けられ、この排液口５から養液又は水を回収できるようになっている。前記排液口５の下方には排液回収タンク６が設けられこの排液回収タンク内の養液又は水をリタ−ンポンプ７によりリタ−ン送液管８を介して主タンク３に戻すことにより、養液又は水が循環可能な構成となっている。尚、このプ−ル１は、養液又は水を溜めて所定の液面に維持することができる構成となっている。
【０００８】
尚、前記プ−ル１の底面には、縦方向すなわち循環する養液又は水が流れる方向に複数の通液溝９…を設けている。この通液溝９…は、縦方向にわたって同幅同深さに構成され且つ分岐、交差あるいは合流することなく直線状に構成されており、スム−ズに養液又は水が流れるようになっている。これにより、従来のような通液溝９…が無いものや通液溝９…が縦横に交差しているものと比較して、プ−ル１内の流液をスム−ズに行なうことができ、夏期にプ−ル１内の液温が上昇し育苗に悪影響を与えることを抑制することができる。
【０００９】
また、図３，４に示すように、プ−ル１の側壁部１０，１０の上面に、種籾の複数の浮き上がり抑止板１１…を載置できる構成となっている。前記浮き上がり抑止板１１は、プ−ル１の側壁部１０，１０の形状に合致するように折れ曲がった形状となっており、前記側壁部１０，１０の上面と合致する部分に幅広部１２ａを備える縦長の長孔１２，１２，１２，１２が４隅に設けられている。一方、プ−ル１の側壁部１０，１０の上面の適宜の位置には浮き上がり防止具１３…が備えられている。よって、複数の浮き上がり抑止板１１…を縦方向に並列してプ−ル１に載置して、前記浮き上がり防止具１３…を浮き上がり抑止板１１…の縦長の長孔１２…の幅広部１２ａ…から該長孔１２…にはめこみ、前記浮き上がり防止具１３…により浮き上がり抑止板１１…が芽の伸長により上方に押し上げられないように構成している。
【００１０】
従って、プ−ル内に育苗床材であるウレタンマットａを敷設しこのウレタンマットａに種籾を播種することにより、該種籾がプ−ル内の養液又は水を吸収して発芽、発根する。尚、前記ウレタンマットａは、発泡性の生分解性ウレタンで構成され、厚さが約５ｍｍのものである。すると、芽は上方に向かって伸長し、根は下方に向かって前記ウレタンマットａに絡み合うように伸長する。根の伸長によりウレタンマットａから種籾が浮き上がらずに根がウレタンマットａに充分絡み合うように、プ−ル１に浮き上がり抑止板１１…を播種後３〜４日経過するまで装着する。その後、前記浮き上がり抑止板１１…を取り外し、プ−ル内に養液又は水を循環させ育苗する。そして、育苗が完了すると、養液又は水をプ−ル１内から排出し１〜２日間育苗されたマット苗の水切りを行う。播種してから水切りが完了するまで１２〜１４日経過する。
【００１１】
尚、図３に示すように、前記浮き上がり抑止板１１…と育苗床材（種籾）との間には隙間が設けられており、種籾への酸素供給が不足しないように構成している。尚、浮き上がり抑止板１１…は、冬期等において苗を保温する効果も兼ね備えている。尚、前記浮き上がり抑止板１１…をアクリル板等のような透光性のあるものとすると、上方から苗に光を供給することができ、苗の伸長を良好にすることができる。また、前記浮き上がり抑止板１１…を透光性のあるものとすることによって、冬期等において苗の保温効果を向上させることができる。
【００１２】
尚、通液溝９…は、載置される育苗床材の下側に位置するため、通液溝９…内で養液又は水を流しても前記育苗床材上の種籾が流されたり苗の姿勢が悪化したりすることを抑えることができる。
【００１３】
そして、この長いマット苗は、該マット苗の長手方向に苗床部が外側になるように巻取軸ｓ周りに巻き取られてロ−ル苗ｒとなり、このロ−ル苗ｒが田植機２０に装填され該田植機２０により繰り出されて一株づつ圃場に移植される。尚、前記巻取軸ｓは、直径約１５ｃｍの樹脂性のパイプで構成されている。前記ロール苗ｒは、人手により、前記巻取軸ｓをプ−ル１内の長いマット苗の一端部から苗の葉が他端側に倒伏するように密着させて押し当て、その後前記他端側へ向けて前記巻取軸ｓを回転させていき隙間が生じないように苗を巻き取っていくことで作られる。従って、この苗の巻き取りによりロール苗ｒの内外で苗が相互に重なり合うため、マット苗の葉が先に巻き取られた苗の苗床部の底面に圧接されて自ずと巻き取り終端側へ倒伏した状態でロ−ル苗が作られる。
【００１４】
そして、このマット苗がロ−ル状に巻取軸ｓ周りに巻き取られてできたロ−ル苗ｒは図６に示すような乗用型の田植機２０において圃場に移植される。この乗用型の田植機２０は、走行車体２１と６条植えの苗植付部２２とから構成される。
【００１５】
走行車体２１には左右一対の前輪２３，２３及び後輪２４，２４が装着され、これらの前後輪２３，２３，２４，２４を駆動することにより前記走行車体２１が走行する。走行車体２１の略中央に操縦席２５が備えられ、該操縦席２５の前側にステアリングハンドル２６が設けられている。この走行車体２１の後部にリンク機構２７を介して前記苗植付部２２が装着され、この苗植付部２２は油圧昇降シリンダ２８の伸縮により上下に昇降するように設けられている。また、該苗植付部２２は、走行車体側から動力が伝達されて作動する構成である。
【００１６】
苗植付部２２は、主としてロ−ル苗巻取軸ｓに巻きつけられたロ−ル苗ｒを装填可能にした各条毎のロ−ル苗供給部２９…と苗載置台３０と植付伝動部３１及び各条毎の苗植付装置３２…とからなり、走行車体側からの動力により植付入力ケ−ス３３、前記植付伝動部３１を介して各条の苗植付装置３２…を作動する構成である。尚、前記各条毎のロ−ル苗供給部２９…のそれぞれに、前記ロ−ル苗ｒを人手により供給するようになっている。前記ロ−ル苗供給部２９…のロ−ル苗ｒは、植付伝動部３１からの伝動により作動する苗載置台３０の各条の苗送りベルト３４…の駆動によりマット苗となって繰り出されていく構成となっている。尚、この田植機２０は、ロ−ル苗ｒをロ−ル苗供給部２９…に装填するようにしているので、コンパクトな状態で多量の苗を装填することができ、田植機２０への苗供給作業の回数を少なくすることができ、前記苗供給作業の省力化を図ることができる。
【００１７】
前記苗植付装置３２…は、植付伝動部３１の植付フレ−ム３１ａ…からの出力軸３１ｂ…回りに回動するロ−タリ−ケ−ス３５…の両端部に設けられ、マット苗を一株づつ掻き取る植付爪…３６と該植付爪３６…が保持した苗を圃場面で押し出す押出フォ−ク３７…を備えている。この苗植付装置３２…の植付爪３６…，の先端部は、機体に対して図７に示すような上下のル−プ軌跡Ｔを描いて作動する。前記苗植付装置３２…の作動に伴って、植付伝動部３１からの動力により苗載置台３０を苗載置台左右移動ガイド板３８に沿って左右移動して、前記ガイド板３８に備えた苗掻き取り口３８ａ…に苗を一株分づつ左右方向に送って該苗掻き取り口３８ａ…からマット苗を苗植付装置３２…の植付爪３６…により一株づつ掻き取る構成となっている。従って、前記苗掻き取り口３８ａ…が、苗植付装置３２…の苗取り位置となる。尚、前記苗掻き取り口３８ａ…の上方には苗載置台３０と共に左右移動するプレートで構成される苗規制体３９を設け、該苗規制体３９がマット苗の端部の苗の葉に当接して苗の葉が苗植付装置３２…側に倒れ込まないようにしている。また、前記苗載置台３０は、苗載置台３０の左右移動終端において前記苗送りベルト３４…によりマット状の苗を苗載置台３０に沿って苗植付装置側に順次移送する構成となっている。
【００１８】
ところで、このマット苗の苗床部は育苗床材であるウレタンマットａに根が互いに絡み合って伸長して強度が得られるため、ロール苗ｒの巻き取り終端側に倒伏した苗の葉がロール苗ｒから繰り出されることにより起立姿勢側に戻って苗規制体３９に円滑に当接する高さまで復元する。ロール苗ｒから繰り出されることにより苗の葉が起立姿勢側に戻るように復元する苗床部の強度は、前記ウレタンマットａの厚みを３ｍｍ以上とすることにより得られる。尚、マット苗をロール状に巻き取るため苗床部をある程度屈曲可能な構成としたりロール苗ｒの運搬やロ−ル苗供給部２９…への装填等の取り扱いを容易にするため該ロール苗ｒの外径を小さくする必要があるため、苗床部の厚みを小さくする必要があり、前記ウレタンマットａの厚みを３ｍｍ〜７ｍｍとするのが適当である。
【００１９】
尚、ウレタンマットａの厚みを種籾の大きさと略同一かそれより大きくなるよう３ｍｍ〜７ｍｍとすることによって、種籾を前記浮き上がり抑止板１１…により押さえられてウレタンマットａの上面から下側に沈み込ませることができるので、苗の茎（葉）部がウレタンマットａや苗の根で構成される苗床部に突入した状態となり、苗の葉が起立姿勢側に戻る復元力が向上する。
【００２０】
以上により、前記ロ−ル苗ｒを田植機２０の各条のロ−ル苗供給部２９…に装填し、該ロ−ル苗ｒの巻き取り終端側から各条の苗送りベルト３４…の駆動によりマット苗を繰り出し、繰り出されたマット苗から各条の苗植付装置３２…が苗掻き取り口３８ａ…で一株分づつ苗を取るまでに該苗の葉が巻き取り終端側に倒伏した倒伏状態から前記苗植付装置３２…の作動軌跡Ｔから離れる方向すなわちロ−ル苗ｒ側に復元し、苗規制体３９により苗の葉を苗植付装置３２…側に倒れ込まないように規制した状態で前記マット苗の端部すなわち前記巻き取り終端側から前記苗植付装置３２…が前記苗掻き取り口３８ａ…で苗を取って圃場に植え付ける。
【００２１】
よって、マット苗を巻き取り終端側へ倒伏した状態でロール状に巻いたロ−ル苗ｒを前記ロ−ル苗供給部２９…に装填するようにしているので、マット苗をロ−ル状に巻き取るときマット苗の葉が先に巻き取られた苗の苗床部の底面に圧接されて自ずと巻き取り終端側へ倒伏した状態となるため、格別にマット苗の葉を矯正したりする必要がなくマット苗をロ−ル状に巻き取るだけで前記ロ−ル苗ｒを作ることができ、マット苗の巻き取り作業を容易にすることができる。そして、ロ−ル苗ｒから繰り出されたマット苗を苗植付装置３２…が苗掻き取り口３８ａ…で一株分づつ取るまでに該苗の葉が巻き取り終端側に倒伏した倒伏状態から前記苗植付装置３２…の作動軌跡Ｔから離れる方向すなわちロ−ル苗ｒ側に復元するので、マット苗の葉が前記苗植付装置３２…の作動軌跡Ｔと内側に倒れ込まず、、前記苗植付装置３２…により苗の葉を損傷させずに苗の床部に作用して適確に苗を掻き取って苗の分割が適正に行なわれ、適正に圃場に苗を植え付けることができる。
【００２２】
また、育苗床材となるウレタンマットａは所定の空気層を有するため、該マットａ中への根の伸長がスム−ズに行われて種籾がウレタンマットａから上方に浮き上がることを抑制し、伸長した根が該マットａの下部でも絡み合って苗床部の頑丈なマット苗が得られる。更に、前記ウレタンマットａの厚みを３ｍｍ以上としているので、苗床部が頑丈になる。よって、苗床部が頑丈になるので、該マット苗を圃場に移植するとき、苗載置台３０によるマット苗の左右移動や苗植付装置３２…による一株毎の苗の掻き取り等においてマット苗が伸縮したりちぎれたりするようなことが防止され、確実に圃場に苗を移植することができる。尚、このウレタンマットａは肥料等で溶解することがないため、育苗中に肥料等を供給しても苗床部の強度への影響が少ない。
【００２３】
また、前記苗載置台３０の左右移動と共に苗載置台３０上のマット苗が前記苗載置台左右移動ガイド板３８に対して左右移動するが、この左右移動によって前記苗載置台左右移動ガイド板３８に対してマット苗が摺動しこの摺動抵抗によってマット苗の苗床部の強度が不足しているとマット苗が左右方向に縮むことがある。上述の育苗により、苗床部の強度のあるマット苗が得られるため、このマット苗を使用することによりマット苗が左右方向に縮むのを抑制することができる。
【００２４】
また、上述の実施例は、育苗床材としてウレタンマットａを使用したものであるが、育苗床材として不織布を使用してもよい。不織布の場合も、育苗床材の厚みを３ｍｍ〜７ｍｍとするのが適当である。
【００２５】
尚、上述の実施例はウレタンマットａの育苗床材上に種籾を播種し育苗するものであるが、播種された育苗床材上に覆土を行い育苗するものであってもよい。
尚、ロール苗ｒから繰り出されることにより苗の葉が起立姿勢側に復元するのを補助するために、苗載置台３０上にマット苗の葉に当接して駆動するロ−ラやベルト等の苗復元補助手段を設けてもよい。
【００２６】
尚、この実施例は６条植えの苗移植機に関するものであるが、本発明は６条植えのものに限定するものではない。また、この実施例は、乗用型の田植機について説明したが、歩行型の田植機等においても利用できるものである。
【図面の簡単な説明】
【図１】プ−ルを示す平面図
【図２】プ−ルを示す側面断面図
【図３】プ−ルを示す正面断面図
【図４】プ−ルの一部を示す平面図
【図５】育苗床材にウレタンマットを使用して水稲用の苗を育苗した状態を示す図
【図６】乗用型の田植機の側面図
【図７】苗植付部を示す側面図
【図８】図６中のＡ視における苗載置台の一部を示す図
【符号の説明】
１…プール、２…給液口、５…排液口、９…通液溝、１１…浮き上がり抑止板、２０…乗用型の田植機、３０…苗載置台、３２…苗植付装置、３４…苗送りベルト、３８ａ…苗掻き取り口、３９…苗規制体、ａ…ウレタンマット、ｒ…ロ−ル苗、Ｔ…苗植付装置の作動軌跡
【図１】
0004042269.tif 000002
【図２】
0004042269.tif 000003
【図３】
0004042269.tif 000004
【図４】
0004042269.tif 000005
【図５】
0004042269.tif 000006
【図６】
0004042269.tif 000007
【図７】
0004042269.tif 000008
【図８】
0004042269.tif 000009